(57)【要約】【課題】デジタル複合再生装置において、ユーザに煩わしい操作を要求することなく、また、ユーザに記録メディアを意識させることなく、コンテンツを容易に選択・再生できるようにする。【解決手段】デジタル複合再生装置の制御部は、電源投入時にＤＶＤ再生装置及びハードディスク記録再生装置が再生可能なコンテンツを検索すると共に、チューナが受信可能な放送チャンネルをメモリから読み出し、視聴可能なコンテンツを一元的に統合表示したコンテンツ情報リスト２０を作成する。コンテンツ情報リスト２０は、コンテンツ名２２、記録メディア名２１、記録日時２３等のコンテンツ選択に有用なデータによって構成され、コンテンツ選択時におけるインターフェースとして機能し、コンテンツ選択を容易なものとする。【選択図】　　　　図２
2004015115.tif 000002
【特許請求の範囲】
【請求項１】
光ディスクに記録されたデジタルコンテンツを再生する光ディスク再生手段と、ユーザ所望のデジタルコンテンツをハードディスクに記録し、その記録したデジタルコンテンツを再生するハードディスク記録・再生手段と、放送局から発信されるデジタル放送信号を受信する受信手段と、この受信手段が受信可能な放送チャンネルを記憶するチャンネル記憶手段と、ユーザが各種指令を入力するための入力手段とを備えたデジタル複合再生装置において、
光ディスクに記録されているデジタルコンテンツの中から装置が再生可能なデジタルコンテンツを、装置の電源投入時に自動的に検索する光ディスク自動検索手段と、
ハードディスクに記録されているデジタルコンテンツの中から装置が再生可能なデジタルコンテンツを装置の電源投入時に自動的に検索するハードディスク自動検索手段と、
前記光ディスク自動検索手段が検索したデジタルコンテンツと、前記ハードディスク自動検索手段が検索したデジタルコンテンツと、前記チャンネル記憶手段が記憶している放送チャンネルとに基いてコンテンツ情報リストを作成し、このコンテンツ情報リストを装置外部に接続された表示装置に表示させるコンテンツ情報表示手段と、
前記入力手段からの入力指令に基いて、前記コンテンツ情報表示手段が表示装置に表示させたコンテンツ情報リストの中から、ユーザ所望のデジタルコンテンツ又は放送チャンネルを選択するコンテンツ選択手段とを有し、
前記コンテンツ情報表示手段は、前記コンテンツ情報リストに含まれる各デジタルコンテンツと放送チャンネルとを、ユーザ所望の順序によって並べ替え、この並べ替えたデジタルコンテンツ及び放送チャンネルを装置の電源投入時に一元化して一覧表示させるものであることを特徴とするデジタル複合再生装置。
【請求項２】
デジタルコンテンツを記録した複数種類の記録メディアを再生する複数種類の再生手段を備えたデジタル複合再生装置において、
各記録メディアに記録され、再生可能であるデジタルコンテンツを装置の電源投入時に自動的に検索するコンテンツ自動検索手段と、
前記コンテンツ自動検索手段が検索したデジタルコンテンツに基いてコンテンツ情報リストを作成し、このコンテンツ情報リストを装置外部に接続された表示装置に表示させるコンテンツ情報表示手段とを有し、
前記コンテンツ情報表示手段は、前記コンテンツ自動検索手段が全ての記録メディアについて検索した再生可能なデジタルコンテンツを装置の電源投入時に一元化して表示させるものであることを特徴とするデジタル複合再生装置。
【請求項３】
ユーザが各種指令を入力するための入力手段と、前記コンテンツ表示手段が表示装置に表示させたデジタルコンテンツの中から、前記入力手段からの入力指令に基いて、ユーザ所望のデジタルコンテンツを選択するコンテンツ選択手段とを備えたことを特徴とする請求項２に記載のデジタル複合再生装置。
【発明の詳細な説明】
【０００１】
【発明の属する技術分野】
本発明は、デジタルコンテンツを記録した複数種類の記録メディアを再生するデジタル複合再生装置に関するものである。
【０００２】
【従来の技術】
従来より、光ディスク再生装置及びハードディスク記録・再生装置等の複数種類のデジタル記録メディア再生装置を内蔵し、記録メディア（光ディスク及びハードディスク）に記録されたコンテンツを再生するデジタル複合再生装置がある。このようなデジタル複合再生装置においては、光ディスクの動作からハードディスクの動作への切替えは、リモコン等の入力装置からの動作モードの切替え指令に基いて成されていた。
【０００３】
また、いわゆるパーソナルコンピュータ等の情報処理装置においては、データ形式の異なる複数のデータを検索するコマンドがユーザによって入力された場合に、各データの内容を視覚的に認識できる画像を用いながら、各データを表示するようにしたものがある（例えば、特開平８−６９６２号公報参照）。また、複数の文書ファイルをその内容が確認できる程度に一覧表示するようにした情報処理装置も知られている（例えば、特開２００１−２２７３４号公報参照）。
【０００４】
【発明が解決しようとする課題】
ところで、デジタルコンテンツを再生するにあたっては、コンテンツを記録している記録メディアが如何なる記録メディアであっても、デジタル信号に基く画像と音声を提供するというデジタルコンテンツ本来の意味は変わらない。従って、ユーザにとってコンテンツが重要な要素であり、それを記録した記録メディアはそれほど重要な要素とは言えない。しかしながら、従来のデジタル複合再生装置は、上述したように、リモコンを操作して各記録メディアに対応する動作モードに切替える構成であるので、ユーザは、ＤＶＤに記録されたコンテンツを観るのか、ハードディスクに記録されたコンテンツを観るのかを常に意識してリモコンを操作する必要があった。
【０００５】
また、特開平８−６９６２号公報及び特開２００１−２２７３４号公報に示される情報処理装置においては、ユーザは、ハードディスク等に記録したデータを一覧表示するために、装置のＯＳ（Ｏｐｅｒａｔｉｎｇ　Ｓｙｓｔｅｍ）起動後に所定のコマンドを入力しなければならず、装置の使い勝手が悪かった。
【０００６】
本発明は、上述した問題点を解決するためになされたものであり、ユーザに煩わしい操作を要求することなく、また、ユーザに記録メディアを意識させることなく、コンテンツを容易に再生できるようにした、使い勝手の良いインターフェースを備えたデジタル複合再生装置を提供することを目的とする。
【０００７】
【課題を解決するための手段】
上記目的を達成するために請求項１の発明は、光ディスクに記録されたデジタルコンテンツを再生する光ディスク再生手段と、ユーザ所望のデジタルコンテンツをハードディスクに記録し、その記録したデジタルコンテンツを再生するハードディスク記録・再生手段と、放送局から発信されるデジタル放送信号を受信する受信手段と、この受信手段が受信可能な放送チャンネルを記憶するチャンネル記憶手段と、ユーザが各種指令を入力するための入力手段とを備えたデジタル複合再生装置において、光ディスクに記録されているデジタルコンテンツの中から装置が再生可能なデジタルコンテンツを、装置の電源投入時に自動的に検索する光ディスク自動検索手段と、ハードディスクに記録されているデジタルコンテンツの中から装置が再生可能なデジタルコンテンツを装置の電源投入時に自動的に検索するハードディスク自動検索手段と、光ディスク自動検索手段が検索したデジタルコンテンツと、ハードディスク自動検索手段が検索したデジタルコンテンツと、チャンネル記憶手段が記憶している放送チャンネルとに基いてコンテンツ情報リストを作成し、このコンテンツ情報リストを装置外部に接続された表示装置に表示させるコンテンツ情報表示手段と、入力手段からの入力指令に基いて、コンテンツ情報表示手段が表示装置に表示させたコンテンツ情報リストの中から、ユーザ所望のデジタルコンテンツ又は放送チャンネルを選択するコンテンツ選択手段とを有し、コンテンツ情報表示手段は、コンテンツ情報リストに含まれる各デジタルコンテンツと放送チャンネルとを、ユーザ所望の順序によって並べ替え、この並べ替えたデジタルコンテンツ及び放送チャンネルを装置の電源投入時に一元化して一覧表示させるものである。
【０００８】
この構成においては、装置の電源投入時に自動的に表示されるコンテンツ情報リストは、ユーザのコンテンツ選択時におけるインターフェースとして機能し、ユーザのコンテンツの選択を容易にする。このコンテンツ情報リストは、光ディスク内及びハードディスク内の再生可能なデジタルコンテンツ並びに受信手段が受信可能な放送チャンネルを一元的に統合表示したものであって、例えば、コンテンツ名、記録メディア名、記録日時等のコンテンツ選択に有用なデータによって構成され、ユーザのコンテンツ選択の手間を削減する。また、コンテンツ情報リスト内のコンテンツ及び放送チャンネルは、ユーザ所望の順序、例えば、コンテンツ名の順序に並べ替えたり、記録日時の順序に並べ替えることも可能であり、これによって、デジタル複合再生装置の使い勝手がさらに向上する。
【０００９】
また、請求項２の発明は、デジタルコンテンツを記録した複数種類の記録メディアを再生する複数種類の再生手段を備えたデジタル複合再生装置において、各記録メディアに記録され、再生可能であるデジタルコンテンツを装置の電源投入時に自動的に検索するコンテンツ自動検索手段と、コンテンツ自動検索手段が検索したデジタルコンテンツに基いてコンテンツ情報リストを作成し、このコンテンツ情報リストを装置外部に接続された表示装置に表示させるコンテンツ情報表示手段とを有し、コンテンツ情報表示手段は、コンテンツ自動検索手段が全ての記録メディアについて検索した再生可能なデジタルコンテンツを装置の電源投入時に一元化して表示させるものである。
【００１０】
この構成においては、装置の電源投入時に自動的に表示されるコンテンツ情報リストは、ユーザのコンテンツ選択時におけるインターフェースとして機能し、ユーザのコンテンツの選択を容易にする。このコンテンツ情報リストは、光ディスク内及びハードディスク内の再生可能なデジタルコンテンツを一元的に統合表示したものであって、例えば、コンテンツ名、記録メディア名、記録日時等のコンテンツ選択に有用なデータによって構成され、ユーザのコンテンツ選択の手間を削減する。
【００１１】
また、請求項３の発明は、請求項２に記載のデジタル複合再生装置において、ユーザが各種指令を入力するための入力手段と、コンテンツ表示手段が表示装置に表示させたデジタルコンテンツの中から、入力手段からの入力指令に基いて、ユーザ所望のデジタルコンテンツを選択するコンテンツ選択手段とを備えたものである。この構成においては、ユーザは、コンテンツ情報リストを参照しながら入力手段を操作して、所望のコンテンツを選択することができる。
【００１２】
【発明の実施の形態】
以下、本発明の一実施形態によるデジタル複合再生装置について、図面を参照して説明する。図１は、デジタル複合再生装置の構成を示している。デジタル複合再生装置１は、複数種類のデジタル記録メディア再生装置を内蔵し、記録メディアに記録されたコンテンツを再生し、装置外部に接続されたモニタ装置１２に映像信号及び映像信号を出力する装置である。デジタル複合再生装置１は、ＤＶＤ（Ｄｉｓｔａｌ　Ｖｅｒｓａｔｉｌｅ　Ｄｉｓｋ）再生装置（光ディスク再生手段）２と、ハードディスク記録・再生装置（ハードディスク記録・再生手段）３と、チューナ（受信手段）４と、デコーダ５と、メモリ（チャンネル記憶手段）６と、映像出力部７と、音声出力部８と、リモコン受信部９と、制御部（光ディスク自動検索手段、ハードディスク自動検索手段、コンテンツ情報表示手段、コンテンツ選択手段、コンテンツ自動検索手段）１０と、リモコン（入力手段）１１とを備えている。
【００１３】
ＤＶＤ再生装置２は、光ディスクに記録されたデジタルコンテンツの信号を読み出す装置である。ハードディスク記録・再生装置３は、ユーザ所望のデジタルコンテンツの信号をハードディスクに記録し、その記録したデジタルコンテンツの信号を読み出す装置である。ここで、ハードディスクに記録される信号としては、例えば、ＭＰＥＧ２規格に準拠する映像ファイルやＭＰ３規格に準拠する音声ファイル等が挙げられる。チューナ４は、放送局から発信されるデジタル放送信号を受信する。デコーダ５は、ＤＶＤ再生装置２及びハードディスク記録・再生装置３が読み出したデジタル信号、並びにチューナ４が受信した映像及び音声のデジタル信号を復号する。メモリ６は、チューナ４が受信可能な放送チャンネルを記憶し、また、制御部１０の動作プログラムを格納する。映像出力部７は、デコーダ５が復号した映像信号をモニタ装置１２が表示可能な映像信号に変換する。音声出力部８は、デコーダ５が復号した音声信号をモニタ装置１２が出力可能な音声信号に変換する。リモコン受信部９は、赤外線を介してリモコン１１から発信される各種の指令信号を受信して、その指令信号を制御部１０に伝送する。制御部１０は、メモリ６に格納された動作プログラムに基いて、装置各部の制御を司る。リモコン１１は、ユーザが各種の指令を入力するための装置であり、該指令に対応する赤外線信号を発信する。
【００１４】
図２は、本装置１の電源投入時にモニタ装置１２に表示されるコンテンツ情報リストを示している。コンテンツ情報リスト２０は、本装置１の電源投入時に自動的に表示され、ユーザのコンテンツ選択時におけるインターフェースとして機能し、ユーザのコンテンツの選択を容易にする。このコンテンツ情報リスト２０は、光ディスク内及びハードディスク内の再生可能なデジタルコンテンツ２２ａ並びにチューナ４が受信可能な放送チャンネル２２ｂを一元的に統合表示したものであって、記録メディア名（又は記録形式）２１、コンテンツ名２２、記録日２３、記録時間又は記録時刻２４等のコンテンツ選択に有用なデータによって構成され、ユーザのコンテンツ選択の手間を削減する。また、コンテンツ情報リスト２０の左端近傍には、記録メディアを視覚的に示したアイコン２５が表示される。デジタル複合再生装置１が再生するコンテンツはカーソル２６によって選択される。ユーザはリモコン１１を操作することによってカーソル２６を移動させ、視聴したいコンテンツを選択することができる。例えば、図２は、“Ｎｉｇｈｔ　Ｓｃｏｏｐ”がユーザによって選択されている状態を示している。このとき、ユーザは、リモコン１１の“決定キー”を操作することによって、自ら選択したコンテンツを視聴することができる。なお、コンテンツの選択は、本装置１に別途接続されたマウス（図示せず）、及びこのマウスの操作に連動してコンテンツ情報リスト２０上に表示されるマウスポインタを用いることにより行ってもよい。また、コンテンツ情報リスト２０内のコンテンツ及び放送チャンネルは、ユーザ所望の順序、例えば、コンテンツ名２２、記録時間又は記録時刻２４（コンテンツ長）、記録日時２３及び記録メディア２１の順序に並べ替えることも可能である。
【００１５】
次に、デジタル複合再生装置１の電源投入時からコンテンツ再生時に亘って制御部１０が実行する処理について図３を参照して説明する。ユーザによって本装置１の電源が投入されると（＃１）、ハードディスク（ＨＤ）内に記録されているコンテンツの中で、本装置１が再生可能なコンテンツを検索する（＃２）。その後、ＤＶＤ再生装置２内にＤＶＤ又はＣＤ−ＲＯＭ等の光ディスクが装填されているかを確認する（＃３）。ＤＶＤ再生装置２内にディスクが装填されていれば（＃３においてＹＥＳ）、そのディスク内に記録されているコンテンツの中で、本装置１が再生可能なコンテンツを検索する（＃４）。そして、チューナ４が受信可能な放送チャンネルをメモリ６から読み出して（＃５）、この結果と、＃２及び＃４の検索結果とに基いてコンテンツ情報リスト２０を作成する（＃６）。このとき、ユーザ所望の順序に従って、コンテンツ情報リスト２０内のコンテンツ及び放送チャンネルを並べ替える。そして、＃６において作成したコンテンツ情報リスト２０をモニタ装置１２に一元表示させる（＃７）。その後、ユーザによってコンテンツが選択されると（＃８）、その選択されたコンテンツを再生し（＃９）、処理を終了する。なお、＃３においてディスクが装填されていないとき（＃３においてＮＯ）、＃５に移行する。
【００１６】
以上のように、上記構成のデジタル複合再生装置１によれば、ユーザによって装置の電源が投入されると、制御部１０は、＃２乃至＃７の処理を自動的に行い、コンテンツ情報リスト２０を表示させる。従って、ユーザは、従来の情報処理装置において必要であった所定のコマンド等を入力することなく、再生可能なコンテンツに関するコンテンツ情報リスト２０を参照することができ、視聴したいデジタルコンテンツの選択が容易に行えるようになる。しかも、このコンテンツ情報リストには、本装置１が再生可能なコンテンツ及び受信可能な放送チャンネルが一元化されて一覧表示されるので、ユーザは、記録メディア等を意識することなく、すなわち、動作モード切替え等の煩わしい操作指令を入力することなく簡便にコンテンツや放送チャンネルを選択することができる。また、コンテンツ情報リスト２０内のコンテンツ及び放送チャンネルは、ユーザ所望の順序に並べ替えることも可能であるので、デジタル複合再生装置１をユーザ毎にカスタマイズすることができ、装置の使い勝手がさらに高められる。
【００１７】
なお、本発明は上記実施形態の構成に限られることなく種々の変形が可能であり、例えば、デジタルコンテンツを再生する装置は、ＤＶＤ再生装置２に限られることなく、ＣＤ−ＲＯＭ再生装置その他の光磁気ディスク再生装置を適用してもよい。また、デジタルコンテンツを記録・再生する装置はハードディスク記録再生装置３に限られることなく、大容量のデジタルデータを高速に記録・再生可能な装置であっても構わない。また、デジタル複合再生装置１は、チューナ４を省いた構成であってもよく、この場合は、本装置１とＳＴＢ（Ｓｅｔ　Ｔｏｐ　Ｂｏｘ）等の放送受信装置とをＡＵＸ端子・ケーブル等を介して接続し、このＳＴＢから映像・音声信号の供給を受けるようにすればよい。
【００１８】
【発明の効果】
以上のように請求項１の発明によれば、コンテンツ情報表示手段は、コンテンツ情報リストを装置の電源投入時に表示させるので、ユーザは、従来の情報処理装置において必要であった所定のコマンド等を入力することなく、再生可能なコンテンツに関するコンテンツ情報リストを参照することができ、視聴したいデジタルコンテンツの選択が容易に行えるようになる。しかも、このコンテンツ情報リストには、装置が再生可能なコンテンツ及び受信可能な放送チャンネルが一元化されて一覧表示されるので、ユーザは、記録メディア等を意識することなく、すなわち、動作モード切替え等の煩わしい操作指令を入力することなく、簡便にコンテンツや放送チャンネルを選択することができる。また、コンテンツ情報リスト内のコンテンツ及び放送チャンネルは、ユーザ所望の順序に並べ替えることも可能であるので、デジタル複合再生装置をユーザ毎にカスタマイズすることができ、装置の使い勝手がさらに高められる。
【００１９】
請求項２の発明によれば、コンテンツ情報表示手段は、コンテンツ情報リストを装置の電源投入時に表示させるので、ユーザは、従来の情報処理装置において必要であった所定のコマンド等を入力することなく、再生可能なコンテンツに関するコンテンツ情報リストを参照することができ、視聴したいデジタルコンテンツの選択が容易に行えるようになる。しかも、このコンテンツ情報リストには、装置が再生可能なコンテンツが一元化されて一覧表示されるので、ユーザは、記録メディア等を意識することなく、すなわち、動作モード切替え等の煩わしい操作指令を入力することなく、簡便にコンテンツを選択することができる。
【００２０】
請求項３の発明によれば、ユーザは、コンテンツ情報リストを参照しながら、容易に所望のコンテンツを選択することができる。
【図面の簡単な説明】
【図１】本発明の一実施形態によるデジタル複合再生装置の電気的構成を示したブロック図。
【図２】同装置によって表示されるコンテンツ情報リストの表示画面を示した図。
【図３】同装置の電源投入時からコンテンツ再生時に亘って制御部が実行する処理を示したフローチャート。
【符号の説明】
１　　デジタル複合再生装置
２　　ＤＶＤ再生装置（光ディスク再生手段）
３　　ハードディスク記録・再生装置（ハードディスク記録・再生手段）
４　　チューナ（受信手段）
６　　メモリ（チャンネル記憶手段）
１０　　制御部（光ディスク自動検索手段、ハードディスク自動検索手段、コンテンツ情報表示手段、コンテンツ選択手段、コンテンツ自動検索手段）
１１　　リモコン（入力手段）
２０　　コンテンツ情報リスト
【図１】
2004015115.tif 000003
【図２】
2004015115.tif 000004
【図３】
2004015115.tif 000005